(57)【要約】【課題】配線・配管材の引出、引込の作業に拘わりなく、保護筒への着脱ができ、作業性の良い配線・配管材の引出カバーを提供する。【解決手段】建物壁に当接する当接部１と、該建物壁への固定に用いられる固定部２と、保護筒６の端部６ａが挿入される挿入部３と、前記挿入部３に前記保護筒６の端部５ａが挿入された状態で、該端部６ａの周りを覆うと共に、前記保護筒６の端部６ａの開口方向の反対方向に開口した開口部４ａを備えたカバー部４とを備え、前記カバー部４は、内部に前記保護筒の端部から引出された配線・配管材を該開口部４ａに向けて折り返すように屈曲させる屈曲空間４ｂを備え、該開口部４ａから前記折り返された配線・配管材が前記カバー部４外に引出可能とされた。【選択図】図１
2006262625.tif 000002
【特許請求の範囲】
【請求項１】
全体が筒状体で構成され、建物壁に当接した状態で該壁に固定され、内部に配線・配管材を収容して保護する保護筒に用いられ、該保護筒の端部より該配線・配管材を引出しまたは引込む際に、前記端部を被って該建物壁に取り付けられる引出カバーであって、
前記建物壁に当接する当接部と、該建物壁への固定に用いられる固定部と、前記保護筒の端部が挿入される挿入部と、前記挿入部に前記保護筒の端部が挿入された状態で、該端部の周りを覆うと共に、前記保護筒の端部の開口方向の反対方向に開口した開口部を備えたカバー部とを備え、
前記カバー部は、内部に前記保護筒の端部から引出された配線・配管材を該開口部に向けて折り返すように屈曲させる屈曲空間を備え、該開口部から前記折り返された配線・配管材が前記カバー部外に引出可能とされたことを特徴とする配線・配管材の引出カバー。
【請求項２】
前記開口部に対して、前記挿入部が該挿入方向に所定距離入り込むように構成されていることを特徴とする請求項１記載の配線・配管材の引出カバー。
【請求項３】
前記開口部は、前記保護筒の端部から引出された配線・配管材を該建物壁からより遠ざかるように折り返すように設けられていることを特徴とする請求項１または２記載の配線・配管材の引出カバー。
【請求項４】
前記開口部は、前記保護筒の端部から引出された配線・配管材を該建物壁に平行に折り返すように設けられていることを特徴とする請求項１または２記載の配線・配管材の引出カバー。
【請求項５】
前記挿入部が、前記保護部材の端部をがたつきなく位置決めするように構成されていることを特徴とする請求項１から４のいずれか記載の配線・配管材の引出カバー。
【発明の詳細な説明】
【技術分野】
【０００１】
本発明は、建物の屋内から屋外へ配線・配管材を引出す場合、あるいは、屋外から建物の屋内へ配線・配管材を引き込む場合に、建物壁に固定され配線・配管材を保護する保護筒と、屋外の配線・配管材との間に用いられる配線・配管材の引出カバーに関する。
【背景技術】
【０００２】
このような配線・配管材の引出カバーとしては、特許文献１に記載されたケーブル引込用キャップが提案されている。
【０００３】
このケーブル引込用キャップは、従来のものに比べ、そのキャップの下方に開口した開口部を閉塞する蓋体のケーブル引込孔に、防雨筒部を突設して、ここからキャップ内部への雨水の侵入を防止することができるものである。
【０００４】
しかしながら、このケーブル引込用キャップは、このキャップを介して引出し、引込む配線等を、円管状の配線保護管に固定された蓋体のケーブル引込孔に通過させなければならないという面倒さがあった。また、このキャップは、円管状の配線保護管には適用可能であっても、建物壁に当接設置される筒状体の保護筒には用いることが出来なかった。
【特許文献１】特開２００２−２３８１３２号公報（図１）
【発明の開示】
【発明が解決しようとする課題】
【０００５】
本発明は、上記の問題を解決しようとするものであり、配線・配管材の引出、引込の作業に拘わりなく、保護筒への着脱ができ、作業性の良い配線・配管材の引出カバーを提供することを目的とする。
【課題を解決するための手段】
【０００６】
請求項１に記載の配線・配管材の引出カバーは、全体が筒状体で構成され、建物壁に当接した状態で該壁に固定され、内部に配線・配管材を収容して保護する保護筒に用いられ、該保護筒の端部より該配線・配管材を引出しまたは引込む際に、前記端部を被って該建物壁に取り付けられる引出カバーであって、
前記建物壁に当接する当接部と、該建物壁への固定に用いられる固定部と、前記保護筒の端部が挿入される挿入部と、前記挿入部に前記保護筒の端部が挿入された状態で、該端部の周りを覆うと共に、前記保護筒の端部の開口方向の反対方向に開口した開口部を備えたカバー部とを備え、前記カバー部は、内部に前記保護筒の端部から引出された配線・配管材を該開口部に向けて折り返すように屈曲させる屈曲空間を備え、該開口部から前記折り返された配線・配管材が前記カバー部外に引出可能とされたことを特徴とする。
【０００７】
請求項２記載の配線・配管材の引出カバーは、請求項１に従属し、前記開口部に対して、前記挿入部が該挿入方向に所定距離入り込むように構成されていることを特徴とする。
【０００８】
請求項３記載の配線・配管材の引出カバーは、請求項１または２に従属し、前記開口部は、前記保護筒の端部から引出された配線・配管材を該建物壁からより遠ざかるように折り返すように設けられていることを特徴とする。
【０００９】
請求項４記載の配線・配管材の引出カバーは、請求項１または２に従属し、前記開口部は、前記保護筒の端部から引出された配線・配管材を該建物壁に平行に折り返すように設けられていることを特徴とする。
【００１０】
請求項５記載の配線・配管材の引出カバーは、請求項１から４のいずれかに従属し、前記挿入部が、前記保護部材の端部をがたつきなく位置決めするように構成されていることを特徴とする。
【発明の効果】
【００１１】
請求項１に記載の配線・配管材の引出カバーによれば、その保護筒への取付が、配線・配管材の引出し、引込みの作業に拘わりなく、保護筒への着脱ができ、作業性が良い。。
【００１２】
請求項２記載の配線・配管材の引出カバーによれば、請求項１の効果に加え、前記開口部に対して、前記挿入部が該挿入方向に所定距離入り込むように構成されているので、配線・配管材の引出カバー内部への雨水の侵入を防ぐことができる。。
【００１３】
請求項３記載の配線・配管材の引出カバーによれば、請求項１または２の効果に加え、前記開口部は、前記保護筒の端部から引出された配線・配管材を該建物壁からより遠ざかるように折り返すように設けられているので、通常、軒下の建物壁に用いられる引出カバーの使用態様に合致している。
【００１４】
請求項４記載の配線・配管材の引出カバーによれば、請求項１または２の効果に加え、前記開口部は、前記保護筒の端部から引出された配線・配管材を該建物壁に平行に折り返すように設けられているので、建物壁の垂直方向にスペースが限定されているような場合に、建物壁に並行方向に配線・配管材を引出し、引込みできるので、好適である。
【００１５】
請求項５記載の配線・配管材の引出カバーによれば、請求項１から４のいずれかの効果に加え、前記挿入部が、前記保護部材の端部をがたつきなく位置決めするように構成されているので、引出カバー固定の際の位置ずれが無く、固定がやりやすい。
【発明を実施するための最良の形態】
【００１６】
以下に、本発明の実施の形態（実施例）について、図面を用いて説明する。
【実施例１】
【００１７】
図１は、本発明の配線・配管材の引出カバーの一例を示すもので、（ａ）はその正面図、（ｂ）は側面図、（ｃ）は前面図、（ｄ）は底面図、図２は、図１の配線・配管材の引出カバーに、これに用いられる保護筒が挿入されている状態を示す斜視図、図３は、図１、２の配線・配管材の引出カバー、保護管の使用説明図である。
【００１８】
この配線・配管材の引出カバー５は、全体が筒状体で構成され、建物壁に当接した状態で該壁に固定され、内部に配線・配管材を収容して保護する保護筒６に用いられ、該保護筒６の端部６ａより該配線・配管材を引出しまたは引込む際に、前記端部を被って該建物壁に取り付けられるものである。
【００１９】
この引出カバー５は、建物壁に当接する当接部１と、該建物壁への固定に用いられる固定部２と、保護筒６の端部６ａが挿入される挿入部３と、この挿入部３に前記保護筒６の端部６ａが挿入された状態で、該端部６ａの周りを覆うと共に、前記保護筒６の端部６ａの開口方向の反対方向に開口した開口部４ａを備えたカバー部４とを備え、
前記カバー部４は、内部に前記保護筒６の端部６ａから引出された配線・配管材を該開口部４ａに向けて折り返すように屈曲させる屈曲空間４ｂを備え、該開口部４ａから前記折り返された配線・配管材が前記カバー部４外に引出可能とされたことを特徴とする。
【００２０】
固定部２は、この例では３箇所設けられ、それぞれ建物壁にこの引出カバー５を固定するための木ねじなどの固定手段用の固定用孔２ａが設けられている。この固定部２の個数はカバー５の大きさ、建物壁に当接する部分の形状により適宜定めれるもので、３個に限定されるものではない。
【００２１】
なお、上記開口部４ａは、保護筒６の端部６ａから引出された配線・配管材を該建物壁、つまり当接部１からより遠ざかるように折り返し屈曲させるように設けられている。
【００２２】
また、図１（ｂ）、（ｄ）に示すように、挿入部３は保護部材６の端部６ａをがたつきなく位置決めするように構成されている
この配線・配管材の引出カバー５は、図２の斜視図でもよく解るように、その挿入部３が、保護筒６を所定距離Ｌだけ入り込むように構成されている。
【００２３】
配線・配管材の引出カバー５の材質は、成形性、低コスト、外部で用いられることから耐候性などを備えたものが良く、具体的には合成樹脂、特にＡＥＳ（アクリロニトリルエチレンプロピレンゴムスチレン共重合体）が好適に用いられるが、これに限定されるものではない。
【００２４】
このような引出カバー５を設置、使用する場合は、図３の手順による。
【００２５】
つまり、図３（ａ）に示すように、まず、保護筒６の本体部６ｂ（この保護筒６は本体部６ｂ、フタ部６ｃとで構成され、それぞれの端部を端部６ａとする。）を建物壁Ｗに固定し、配線・配管材の一例であるケーブルＤを通す。
【００２６】
ついで、図３（ｂ）に示すように、保護筒６の端部６ａから伸び出しているケーブルＷ部分の外被を切り取り、外被が除かれた部分のケーブルＤを配線・配管材の引出カバー５が取付得るように、該建物壁Ｗからより遠ざかるように折り返すように屈曲させる。
【００２７】
最後に、図３（ｃ）に示すように、保護筒６の端部６ａをカバー５の挿入部３に挿入、嵌合させてカバー５をその固定部２を用いて建物壁Ｗに固定する。
【００２８】
こうして、この配線・配管材の引出カバー５によれば、その保護筒６への取付が、配線・配管材Ｄをカバー５を通過させるようなことなく、つまり、配線・配管材Ｄの引出し、引込みの作業に拘わりなく、保護筒６への着脱ができ、作業性が良い。
【００２９】
換言すれば、一旦、配線・配管材Ｄの引出し、引込みの作業が終わった後も、引出カバー５が付いた状態で、あるいは、単に引出カバー５を保護筒６から取り外すだけで、既設の配線・配管材Ｄを取り去ったり、新たに追加することができる。
【００３０】
また、挿入部３が所定距離Ｌだけ入り込むようになっているので、この図３の姿勢で用いる場合（この場合が、通常の設置例である。）には、配線・配管材の引出カバー５内部への雨水の侵入を防ぐことができる。
【００３１】
また、この引出カバー５の開口部４ａは、配線・配管材Ｄを建物壁Ｗからより遠ざかるように、折り返すように屈曲させて引出、引込みできるようになっているので、通常、軒下の建物壁に用いられる引出カバー５の使用態様に合致している。
【００３２】
更に、この配線・配管材の引出カバー５によれば、その挿入部３が保護筒６の端部６ａをがたつきなく位置決めするので、引出カバー５固定の際の位置ずれが無く、固定がやりやすい。
【実施例２】
【００３３】
図４は、本発明の配線・配管材の引出カバーの他例の使用状態を示す斜視図である。これより、すでに説明した部分と同じ部分には同じ符号を付して重複説明を省略する。また、煩雑さを避けるために、全ての符号を繰り返して記載しない場合がある。
【００３４】
この配線・配管材の引出カバー５Ａは、図１の引出カバー５に比べ、その開口部４ｃが、保護筒６の端部６ａから引出された配線・配管材Ｄを該建物壁Ｗに平行に折り返すように、屈曲させて引出、引き込みさせるように設けられている点が異なっている。
【００３５】
これに伴い、カバー部４Ａも、この開口部４ｃに対応した屈曲空間を有するものとなっている。
【００３６】
このような配線・配管材の引出カバー５Ａは、建物壁Ｗの垂直方向にスペースが限定されているような場合に、建物壁Ｗに並行方向に配線・配管材Ｄを引出し、引込みできるので、好適である。
【００３７】
なお、このタイプの引出カバー５Ａは、その反対勝手、つまり、線対称のものとしても、展開可能である。
【実施例３】
【００３８】
図５は、本発明の配線・配管材の引出カバーの他例を示す斜視図である。
【００３９】
この配線・配管材の引出カバー５Ｂは、図１の引出カバー５と同様に、建物壁Ｗに対して垂直方向に配線・配管材を引出し、引込み可能とすると共に、図４の引出カバー５Ａと同様に、建物壁Ｗに対して水平方向へも配線・配管材を引出し、引込み可能としたものである。
【００４０】
更に、この引出カバー５Ｂは、図４の引出カバー５Ａに加えて、その反対勝手にも、配線・配管材を引出し、引込み可能となっている。
【００４１】
このため、当接部１Ａの形状もより大きなものとなり、この当接部１Ａに設けられた挿入部３Ａは、保護筒６の端部６ａを、その建物壁Ｗに当接する部分によってがたつきなく位置決めするようになっている。
【００４２】
また、カバー部４Ｂは、保護筒６の端部６ａを、建物壁Ｗ側を除いて全周に渡って覆う形状となり、その開口部４ｄは、この保護筒６の断面外形形状に相似し、いずれの方向についても保護筒６との間に配線・配管材を引出し、引込みのためのスペースを確保したものとなっている。
【００４３】
また、この開口部４ｄは、図示するように当接部１Ａの保護筒６側端面の挿入部３除く部分も含まれる事となっている。
【００４４】
この引出カバー５Ｂは、本出願人によれば、本願の請求項１に記載の発明に含まれるものであり、その最も広い意味での実施例の一つと把握できるものである。
【００４５】
逆に、上記で既に説明した引出カバー５は、この引出カバー５Ｂにおいて、そのカバー部４Ｂの両側（建物壁Ｗに平行な方向）の保護筒６との空間をゼロとして、保護筒６の上を覆う（建物壁Ｗに垂直な方向）空間を残したものと言える。
【００４６】
つまり、引出カバー５は、保護筒６の両側を隙間なく覆い、一方、保護筒６の上方へは、配線・配管材を引出し、引込みのためのスペースを確保して覆うカバー部４を有するものである。
【００４７】
また、上記で既にに説明した引出カバー５Ａは、この引出カバー５Ｂにおいて、保護筒６の上を覆う（建物壁Ｗに垂直な方向）空間をゼロとして、そのカバー部４Ｂの両側（建物壁Ｗに平行な方向）の保護筒６との空間の一方だけを残したものと言える。
【００４８】
つまり、引出カバー５Ａは、保護筒６の上側を隙間なく覆い、一方、保護筒６の左右いずれかの側には、配線・配管材を引出し、引込みのためのスペースを確保して覆うカバー部４Ａを有するものである。
【産業上の利用可能性】
【００４９】
本発明の配線・配管材の引出カバー、建物の屋外と屋内との間の配線、配管材の引出し、引込みの際、雨水の侵入防止、良好な作業性が要請されるあらゆる産業上の分野に用いることができる。
【図面の簡単な説明】
【００５０】
【図１】本発明の配線・配管材の引出カバーの一例を示すもので、（ａ）はその正面図、（ｂ）は側面図、（ｃ）は前面図、（ｄ）は底面図
【図２】図１の配線・配管材の引出カバーに、これに用いられる保護筒が挿入されている状態を示す斜視図
【図３】図１、２の配線・配管材の引出カバー、保護管の使用説明図
【図４】本発明の配線・配管材の引出カバーの他例の使用状態を示す斜視図
【図５】本発明の配線・配管材の引出カバーの他例を示す斜視図
【符号の説明】
【００５１】
１、１Ａ    当接部
２          固定部
３          挿入部
４〜４Ｂ    カバー部
４ａ        開口部
４ｂ        屈曲空間
５〜５Ｂ    配線・配管材の引出カバー
６          保護筒
６ａ        端部
Ｄ          配線・配管材
Ｗ          建物壁
【図１】
2006262625.tif 000003
【図２】
2006262625.tif 000004
【図３】
2006262625.tif 000005
【図４】
2006262625.tif 000006
【図５】
2006262625.tif 000007